(57)【要約】【課題】電池を搭載する必要のない表示部付きの非接触型ＩＣカードを提供する。【解決手段】アンテナ１２と、アンテナ１２を介した通信の制御を行う通信制御手段２０と、情報を表示する表示部１５と、通信により受信した信号に基づいて、表示部１５の表示を書き換える表示制御手段４０と、通信により受信した信号から、表示部１５の表示を書き換えるための電源を抽出する給電回路Ｄ１２、Ｃ１２とを備え、受信信号から電源を抽出して表示部１５の表示を書き換える。【選択図】図２
2011257798.tif 000002
【特許請求の範囲】
【請求項１】
アンテナと、
前記アンテナを介した通信の制御を行う通信制御手段と、
情報を表示する表示部と、
前記通信により受信した信号に基づいて、前記表示部の表示を書き換える表示制御手段と、
前記通信により受信した信号から、前記表示部の表示を書き換えるための電源を抽出する給電回路と
を備えることを特徴とする非接触型ＩＣカード。
【請求項２】
前記給電回路は、前記受信した信号により充電されるコンデンサを備え、
前記コンデンサの容量に応じて、前記表示部の表示を書き換えるための時間を確保することを特徴とする請求項１に記載の非接触型ＩＣカード。
【請求項３】
前記表示部は、表示の書き換え時のみ電源を必要とする電子ペーパーであることを特徴とする請求項１または２に記載の非接触型ＩＣカード。
【発明の詳細な説明】
【技術分野】
【０００１】
本発明は、非接触型ＩＣカードに関し、例えばＲＦＩＤ（Radio Frequency Identification）と呼ばれるシステムにおいて用いられる非接触型ＩＣカードに関するものである。
【背景技術】
【０００２】
従来から、ＩＣカードに対して非接触で情報を書き込み、読み出すシステムとしてＲＦＩＤと呼ばれるシステムがある。このシステムに用いられる非接触型ＩＣカードとしては、カード主面に表示部を設けて、カードの情報を表示するように構成されたものがある（特許文献１、特許文献２参照）。
【０００３】
このような表示部を有するＩＣカードによれば、例えば電子マネーとして用いられるＩＣカードにあっては、その残高を表示部に表示することにより、ユーザはいつでも残高を確認することができる等、カードの情報をユーザが常に確認し得るといった利点がある。
【先行技術文献】
【特許文献】
【０００４】
【特許文献１】特開２００３−２９６６７８号公報
【特許文献２】特開２００７−２６５３３７号公報
【発明の概要】
【発明が解決しようとする課題】
【０００５】
しかしながら、表示部を有するＩＣカードにおいては、表示部に電源を供給する必要があることから、電池を搭載する必要があり、その分、カードを薄型化し得ず、また電池交換といった煩雑な手間を避け得ない問題があった。
【０００６】
また、充電式の電池を搭載したＩＣカード（特許文献２）においては、電池を充電するための接触式の外部端子が設けられており、必要に応じて、この外部端子に充電用の電極を接触させて充電を行うといった煩雑な手間を避け得ない問題があった。
【０００７】
上記の問題を鑑みて、本発明は、電池を搭載する必要のない表示部付きの非接触型ＩＣカードを提供することを目的とする。
【課題を解決するための手段】
【０００８】
本発明の実施の形態に係る特徴は、非接触型ＩＣカードにおいて、アンテナと、前記アンテナを介した通信の制御を行う通信制御手段と、情報を表示する表示部と、前記通信により受信した信号に基づいて、前記表示部の表示を書き換える表示制御手段と、前記通信により受信した信号から、前記表示部の表示を書き換えるための電源を抽出する給電回路とを備えることである。
【０００９】
この構成によれば、受信信号から得られる電源により表示部の表示を書き換えるようにしたことにより、非接触型ＩＣカードに電池を搭載する必要がなくなり、電池の交換といった手間を回避することができる。また、従来の充電式の電池を搭載した構成のように、電池を充電するための接触式の外部端子を設け、これに充電用の電極を接触させて充電するといった煩雑な手間を回避することができる。また、電池を搭載する必要がない分、非接触型ＩＣカードを一段と薄型化することができる。
【００１０】
本発明の実施の形態に係る特徴は、前記構成において、前記給電回路は、前記受信した信号により充電されるコンデンサを備え、前記コンデンサの容量に応じて、前記表示部の表示を書き換えるための時間を確保することである。
【００１１】
この構成によれば、少なくとも表示部の書換えに必要な時間だけ、表示を書き換えるための電源電圧を書換えに必要な電圧レベル以上に保つことができるため、確実に表示部を書き換えることができる。
【００１２】
本発明の実施の形態に係る特徴は、前記構成において、前記表示部は、表示の書き換え時のみ電源を必要とする電子ペーパーであることである。
【００１３】
この構成によれば、表示を書き換える場合のみ電源を必要とする電子ペーパーを表示部に用いることにより、通信時のみ受信信号から電源を抽出して表示を書き換え、通信時以外には書き換えられた表示を維持することができる。
【発明の効果】
【００１４】
本発明によると、電池を搭載する必要のない表示部付きの非接触型ＩＣカードを提供することができる。
【図面の簡単な説明】
【００１５】
【図１】本発明の第１の実施の形態によるＩＣカードの外観を示す斜視図である。
【図２】本発明によるＩＣカードの構成を示すブロック図である。
【図３】電源電圧の変化を示すグラフである。
【図４】本発明の第２の実施の形態によるＩＣカードを示すブロック図である。
【発明を実施するための形態】
【００１６】
以下、本発明の実施の形態について、添付図面に基づき詳細に説明する。
【００１７】
（第１の実施の形態）
図１は、本実施の形態に係る非接触型ＩＣカード（以下、単にＩＣカードと呼ぶ）１０の外観を示す斜視図である。このＩＣカード１０は、薄型のカード基板１１に後述するアンテナ、通信ＩＣ、表示部１５、表示書込みＩＣなどが搭載されている。表示部１５は、ＩＣカード１０の主面の一部において、外部から視認可能に設けられている。
【００１８】
図２は、本実施の形態に係るＩＣカード１０の全体構成を示すブロック図である。このＩＣカード１０は、リーダ／ライタ（外部通信手段）と非接触通信が可能なＲＦＩＤカードに表示部が設けられた構成を基本構成としている。
【００１９】
図２に示すように、ＩＣカード１０においては、リーダ／ライタ（図示せず）との間で通信を行うためのアンテナ１２及び通信ＩＣ２０と、電子泳動方式、エレクトロクロミック方式、トナーディスプレイ方式又はツイストボール方式などの表示方式の電子ペーパーからなる表示部１５と、アンテナ１２を介して、リーダ／ライタとの間で通信を行い表示部１５に情報を表示する表示書込みＩＣ４０とが、薄型（厚さ約０．８ｍｍ）のカード基板１１（図１）に設けられている。表示部１５として用いられる電子ペーパーは、表示内容を書き換える場合のみ電源を必要とし、書き換えられた表示を維持するための電源を必要としないものである。
【００２０】
なお、本実施の形態において、ＩＣカード１０とリーダ／ライタとの間で行われる通信方式は、キャリア周波数が１３．５６ＭＨｚの電磁誘導方式であるが、これに限られるものではない。
【００２１】
通信ＩＣ２０は、アンテナ１２を介して受信した信号を、ダイオードＤ１１及び抵抗Ｒ１１を介して整流した後、昇圧回路２１に受ける。昇圧回路２１は、整流された受信信号を昇圧して通信制御回路２２へ出力する。通信制御回路２２は、昇圧回路２１から得られる電圧を電源として動作する。なお、リーダ／ライタから送信される信号は、プリアンブル及びこれに続いてコマンドbit列で変調されたものである。プリアンブルの部分において通信制御回路２２の初期動作に必要な電源が供給される。
【００２２】
昇圧回路２１の前段には、コンデンサＣ１１が設けられており、ダイオードＤ１１及び抵抗Ｒ１１において整流された受信信号により充電され、これにより、受信信号が立ち下がっても、昇圧回路２１に供給される電圧が急激に低下しないようになされている。
【００２３】
また、通信ＩＣ２０においては、アンテナ１２を介して受信された信号を、検波回路２３を介して通信制御回路２２に受ける。通信制御回路２２は、受信信号のプリアンブルに続くコマンドbit列を復調して解釈し、反射波に返答情報を乗せてリーダ／ライタへ返す。具体的には、通信制御部回路２２は、返答情報を発振回路（ＯＳＣ）２４から得られる１３．５６ＭＨｚのキャリアに重畳し、これをアンテナ１２において反射する反射波に乗せてリーダ／ライタへ返信する。
【００２４】
通信制御回路２２は、セキュリティー機能を有しており、例えば、公開鍵暗号方式などの方式を用いて、リーダ／ライタとの間で情報を送受信する。また、通信制御回路２２は、ＩＣカード１０に固有の識別情報を記憶したメモリを有しており、リーダ／ライタは、この識別情報に基づいて、ＩＣカード１０を識別するようになっている。
【００２５】
なお、通信制御回路２２は、内部に書き換え可能な不揮発性メモリを有しており、リーダ／ライタとの間の通信により、このメモリの情報を書き換えるようになされている。メモリに記憶される情報は、例えば、電子マネーとして用いられるＩＣカードにあっては残高情報などであり、また、パチンコをプレイするために用いるＩＣカードにあっては、クレジットの残高や貯玉数の情報などである。
【００２６】
一方、アンテナ１２と表示書込みＩＣ４０との間には、ダイオードＤ１２、抵抗Ｒ１２、コンデンサＣ１２、昇圧回路３１、３２が設けられており、アンテナ１２を介して受信した信号は、給電回路を構成するダイオードＤ１２及び抵抗Ｒ１２を介して整流された後、昇圧回路３１に入力される。昇圧回路３１は、整流された受信信号を昇圧して表示書込みＩＣ４０へ出力する。表示書込みＩＣ４０は、昇圧回路３１から得られる電圧を電源として動作する。上述したように、リーダ／ライタから送信される電波は、プリアンブル及びこれに続いてコマンドbit列で変調されたものである。プリアンブルの部分において表示書込みＩＣ４０の初期動作に必要な電源が供給される。
【００２７】
昇圧回路３１の前段の給電回路には、コンデンサＣ１２が設けられており、ダイオードＤ１２及び抵抗Ｒ１２において整流された受信信号により充電され、受信信号が立ち下がった後においても、昇圧回路３１に供給される電圧が急激に低下しないようになされている。これにより、表示書込みＩＣ４０に対して供給される電源電圧が、表示部１５の書き換えに必要な一定電圧以上となる時間を一定時間確保することができ、表示部１５の表示を確実に書き換えることができる。
【００２８】
具体的には、表示コントローラ４１にＡ／Ｄコンバータ（図示せず）が設けられており、昇圧回路３１から得られる電源電圧をＡ／Ｄコンバータを介して監視する。表示コントローラ４１は、昇圧回路３１から供給される電源電圧が所定の電圧（表示部１５の表示を書き換えることが可能な電圧）となった場合に、受信信号に含まれる書込みコマンドに応じて、表示部１５の表示を書き換える。
【００２９】
給電回路に設けられたコンデンサＣ１２の容量は、表示部１５の表示を書き換えるために必要な時間だけ、表示書込みＩＣ４０に所定の電圧（表示部１５の表示の書換えに必要な電圧）を供給することが可能な容量に設定されている。
【００３０】
例えば、図３は、昇圧回路３１から表示書込みＩＣ４０に供給される電源電圧Vcc２の変化を示すグラフであり、時点ｔ１までにＩＣカード１０が信号を受信し、これに応じて、表示書込みＩＣ４０に供給される電源電圧Vcc２が電圧Ｖ１を越える電圧Ｖ２まで上昇しているとする。電圧Ｖ１は、表示書込みＩＣ４０において表示部１５の表示の書換えに必要な最低電圧である。
【００３１】
電源電圧Vcc２が電圧Ｖ２まで上昇した場合、受信信号が立ち下がっても（時点ｔ１）、電源電圧Vcc２は、コンデンサＣ１２の容量に応じた時間をかけて電圧Ｖ１まで徐々に低下する（時点ｔ１〜ｔ２）。この電圧Ｖ１まで低下する時間Ｔ１は、表示部１５の表示を書き換えるために必要な消費電力とコンデンサＣ１２の容量とによって決まる。この時間Ｔ１が表示部１５の書き換え時間に要する時間以上となるように、コンデンサＣ１２の容量を設定しておくことにより、表示部１５の表示を確実に書き換えることができる。
【００３２】
すなわち、受信信号が立ち下がっても、電源電圧Vcc２は、徐々に立ち下がることとなり、表示部１５の表示の書換えに必要な電圧が、少なくとも書き込みに要する時間だけ維持されることになる。
【００３３】
また、アンテナ１２と表示書込みＩＣ４０との間には、検波回路３３が設けられており、アンテナ１２を介して受信された信号は、検波回路３３を介して表示書込みＩＣ４０に入力される。表示書込みＩＣ４０は、受信電波のプリアンブルに続くコマンドbit列を復調して解釈し、書込みコマンドに応じて表示部１５の表示を書き換える。表示部１５に表示される情報としては、上述の通信制御回路２２のメモリに記憶される残高情報、クレジットの残高、貯玉数の情報、又はその他の種々の情報である。
【００３４】
表示書込みＩＣ４０は、表示部１５の書き換えが完了すると、完了コマンドを、発振回路（ＯＳＣ）２３から得られる１３．５６ＭＨｚのキャリアに重畳し、これをアンテナ１２において反射する反射波に乗せてリーダ／ライタへ返信する。
【００３５】
表示書込みＩＣ４０には、表示コントローラ４１、電子ペーパーを駆動するためのドライバ回路４２が設けられている。ドライバ回路４２は、表示部１５のセグメントに対応した複数のスイッチング素子を有しており、これらのスイッチング素子の動作と、表示部１５に共通に接続されたＣＯＭラインの制御により、表示部１５の各セグメントを表示状態又は非表示状態に書き換え制御する。なお、ドライバ回路４２は、昇圧回路３１の後段に設けられた昇圧回路３２によって昇圧された電源電圧により表示部１５の表示を書き換える。
【００３６】
表示部１５は、８桁の数字（文字）を表示し得る構成を有しており、各桁ごとに、数字（文字）を表現するための７セグメント及びドットのセグメントからなる合計８個のセグメントによって構成されている。これら各桁ごとに設けられた各々８個のセグメントは、表示コントローラ４１によって表示状態又は非表示状態に書換え制御されることにより、８桁の数字（文字）の表示が書き換えられる。
【００３７】
以上の構成において、ユーザがＩＣカード１０をリーダ／ライタに近づけると、ＩＣカードとリーダ／ライタとの間で通信が行われる。この通信において、ＩＣカード１０の表示書込みＩＣ４０は、アンテナ１２を介して受信した信号から得られた電源電圧に基づいて動作し、受信信号に含まれる書込みコマンドに応じて表示部１５の表示を書き換える。
【００３８】
ＩＣカード１０とリーダ／ライタとの間の通信が終了すると、表示書込みＩＣ４０に対する電源供給も行われなくなる。表示部１５は、いわゆる電子ペーパーを用いて構成されていることにより、表示が書き換えられる場合のみ電源を必要とし、書き換えられた表示を維持するために電源を必要としないため、ＩＣカード１０とリーダ／ライタとの間の通信が行われない状態となっても、表示部１５における表示は維持される。
【００３９】
ここで、ＩＣカード１０の表示部１５に表示される情報は、ＩＣカード１０に対応付けられた残高情報、クレジットの残高、貯玉数の情報などであり、これらの情報内容は、ＩＣカード１０を利用することにより変化するものである。従って、このＩＣカード１０の利用に際して、リーダ／ライタとの間の通信により得られる受信信号から表示部１５を書き換えるための電源を供給することにより、表示部１５の表示を書き換えることができる。すなわち、表示部１５の表示を書き換える必要が生じるタイミングと、ＩＣカード１０とリーダ／ライタとの間で通信を行うタイミングとが一致していることにより、表示部１５の表示を書き換えるための電源を受信信号から得ることができ、これにより、電池を備える必要がなくなる。
【００４０】
このように、ＩＣカード１０においては、表示を書き換える場合においてのみ電源供給を必要とする電子ペーパーを表示部１５に用い、リーダ／ライタとの通信を行う際に受信信号から得られる電源により表示部１５の表示を書き換えるようにしたことにより、ＩＣカード１０に電池を搭載する必要がなくなり、電池の交換といった手間を回避することができる。また、従来のように、電池を充電するための接触式の外部端子を設けて充電用の電極を接触させて充電するといった煩雑な手間を回避することができる。また、電池をする必要がない分、ＩＣカード１０を一段と薄型化することができる。
【００４１】
（第２の実施の形態）
なお、上述の第１の実施の形態においては、図２に示したように、ＩＣカード１０に表示書込みＩＣ４０及び通信ＩＣ２０を別々に有し、各々がリーダ／ライタとの間で通信を行う場合について述べたが、本発明はこれに限られるものではなく、リーダ／ライタとの間の通信を通信ＩＣによって行い、通信ＩＣと表示書込みＩＣとの間でデータの受け渡しを行うことによって、表示書込みＩＣにより表示部の表示を書き換えるようにしてもよい。
【００４２】
図４は、第２の実施の形態に係るＩＣカード１１０を示すブロック図である。なお、図４において、図２との対応部分には同一符号を付して、重複した説明は省略する。
【００４３】
ＩＣカード１１０は、表示用チップ１４０がリーダ／ライタと直接通信を行うことなく、ＲＦＩＤチップ１２０と通信を行うことによって、表示部１５の表示を書き換える点が図２に示したＩＣカード１０と異なる。
【００４４】
ＩＣカード１１０は、カード基板１１（図１）にアンテナ１２、ＲＦＩＤチップ１２０、表示用チップ１４０、表示部１５を備える。ＲＦＩＤチップ１２０は、図２に示したＩＣカード１０の通信ＩＣ２０と同様にして、アンテナ１２を介して、リーダ／ライタ（図示せず）との間で通信を行う。
【００４５】
ＲＦＩＤチップ１２０は、アンテナ１２を介して受信した信号を、ダイオードＤ１１を介して整流した後、電源安定化回路１２１に受ける。電源安定化回路１２１は、整流された受信信号を昇圧して通信制御回路２２へ出力する。通信制御回路２２は、電源安定化回路１２１から得られる電圧を電源として動作する。
【００４６】
電源安定化回路１２１の前段には、コンデンサＣ１３が設けられており、ダイオードＤ１３において整流された受信信号により充電され、これにより、受信信号が立ち下がった後においても、電源安定化回路１２１に供給される電圧が急激に低下しないようになされている。このコンデンサＣ１３の容量は、第１の実施の形態のＩＣカード１０のコンデンサＣ１２の場合と同様にして、表示用チップ１４０に対して供給される電源電圧Vccが表示部１５の書換えに必要な一定電圧以上となる時間を、表示部１５の書換えに必要な一定時間確保することができる程度の容量に設定されている。これにより、第１の実施の形態の場合と同様にして、表示部１５の表示を確実に書き換えることができる。
【００４７】
また、ＲＦＩＤチップ１２０は、アンテナ１２を介して受信された信号を、検波回路２３を介して通信制御回路２２に受ける。通信制御回路２２は、受信信号のコマンドbit列を復調して解釈し、反射波に返答情報を乗せてリーダ／ライタへ返す。具体的には、通信制御部回路２２は、返答情報を発振回路（ＯＳＣ）２４から得られる１３．５６ＭＨｚのキャリアに重畳し、これをアンテナ１２において反射する反射波に乗せてリーダ／ライタへ返信する。
【００４８】
通信制御回路２２は、セキュリティー機能を有しており、例えば、公開鍵暗号方式などの方式を用いて、リーダ／ライタとの間で情報を送受信する。また、通信制御回路２２は、ＩＣカード１１０に固有の識別情報を記憶したメモリを有しており、リーダ／ライタは、この識別情報に基づいて、ＩＣカード１１０を識別するようになっている。
【００４９】
なお、通信制御回路２２は、内部に書き換え可能な不揮発性メモリを有しており、リーダ／ライタとの間の通信により、このメモリの情報を書き換えるようになされている。メモリに記憶される情報としては、例えば、電子マネーとして用いられるＩＣカードにあっては残高情報などであり、また、パチンコをプレイするために用いるＩＣカードにあっては、クレジットの残高や貯玉数の情報などである。
【００５０】
本実施の形態の通信制御回路２２は、係る構成に加えて、表示用チップ１４０との間で通信を行う機能を備えている。
【００５１】
表示用チップ１４０は、電源安定化回路１２１の出力を表示コントローラ４１に受けて当該表示コントローラ４１の電源として用いると共に、昇圧回路１３１に受けて昇圧し、ドライバ回路４２に供給する。ドライバ回路４２は、昇圧回路１３１から供給される電圧を電源として表示部１５の表示を書き換えることができる。
【００５２】
ＲＦＩＤチップ１２０の通信制御回路２２は、リーダ／ライタからの受信信号に含まれる書込みコマンドを表示用チップ１４０の表示コントローラ４１に出力する。表示コントローラ４１は、通信制御回路２２から受け取った書込みコマンドに基づいて、ドライバ回路４２を制御することにより、表示部１５の表示を書き換える。
【００５３】
このように、ＲＦＩＤチップ１２０のみがリーダ／ライタとの間で通信を行い、表示用チップ１４０は、ＲＦＩＤチップ１２０を介して書込みコマンドを受けて表示部１５の表示を書き換えることができる。
【００５４】
以上説明した第２の実施の形態に係るＩＣカード１１０においても、第１の実施の形態のＩＣカード１０と同様にして、表示を書き換える場合においてのみ電源供給を必要とする電子ペーパーを表示部１５に用い、リーダ／ライタとの通信を行う際に受信信号から得られる電源により表示部１５の表示を書き換えるようにしたことにより、ＩＣカード１１０に電池を搭載する必要がなくなり、電池の交換といった手間を回避することができる。また、従来のように、電池を充電するための接触式の外部端子を設けて充電用の電極を接触させて充電するといった煩雑な手間を回避することができる。また、電池を搭載する必要がない分、）ＩＣカード１１０を一段と薄型化することができる。
【００５５】
さらに、ＩＣカード１１０においては、ＲＦＩＤチップ１２０のみがリーダ／ライタとの間で通信を行い、表示用チップ１４０はリーダ／ライタとの間で直接通信を行う必要がないため、表示用チップ１４０は、リーダ／ライタとの間の通信を行うための機能を有する必要がなくなる。
【００５６】
（他の実施の形態）
なお、上述の実施の形態においては、通信制御回路２２に書き換え可能な不揮発性メモリを備え、このメモリに残高情報などを記憶するようにしたが、これに限られるものではなく、通信制御回路２２にＩＣカード１０（１１０）固有の識別情報を記憶したメモリを設け、この識別情報をリーダ／ライタが読み取ることにより、リーダ／ライタ側のサーバにおいて識別情報に対応付けられた残高情報などを読み出して処理することもできる。
【００５７】
また、上述の実施の形態においては、表示部としていわゆる電子ペーパーを用いる場合について述べたが、これに限られるものではなく、例えば、メモリー性液晶など、書き換え時にのみ電源を必要とするものであれば、種々の表示手段を用いることができる。
【００５８】
また、上述の実施の形態においては、ユーザが所持する非接触型ＩＣカードに本発明を適用する場合について述べたが、非接触型ＩＣカードの用途はこれに限られるものではなく、例えば商品タグとして用いる等、種々の用途に用いることができる。
【００５９】
（非接触型ＩＣカードの概要）
本発明の実施の形態におけるＩＣカード１０（１１０）は、アンテナ１２と、アンテナ１２を介した通信の制御を行う通信制御手段（通信用ＩＣ２０、表示書込みＩＣ４０（ＲＦＩＤチップ１２０））と、情報を表示する表示部１５と、通信により受信した信号に基づいて、表示部１５の表示を書き換える表示制御手段（表示書込みＩＣ４０（表示用チップ１４０））と、通信により受信した信号から、表示部１５の表示を書き換えるための電源を抽出する給電回路（ダイオードＤ１２、抵抗Ｒ１２、コンデンサＣ１２（ダイオードＤ１３、コンデンサＣ１３））とを備えることを特徴とする。
【００６０】
この構成によれば、受信信号から得られる電源により表示部１５の表示を書き換えるようにしたことにより、ＩＣカード１０（１１０）に電池を搭載する必要がなくなり、電池の交換といった手間を回避することができる。また、従来の充電式の電池を搭載した構成のように、電池を充電するための接触式の外部端子を設け、これに充電用の電極を接触させて充電するといった煩雑な手間を回避することができる。また、電池を搭載する必要がない分、ＩＣカード１０（１１０）を一段と薄型化することができる。
【００６１】
本発明の実施の形態におけるＩＣカード１０（１１０）は、前記構成において、給電回路（ダイオードＤ１２、抵抗Ｒ１２、コンデンサＣ１２（ダイオードＤ１３、コンデンサＣ１３））は、受信した信号により充電されるコンデンサＣ１２（Ｃ１３）を備え、コンデンサＣ１２（Ｃ１３）の容量に応じて、表示部１５の表示を書き換えるための時間を確保することを特徴とする。
【００６２】
この構成によれば、少なくとも表示部１５の書換えに必要な時間だけ、表示を書き換えるための電源電圧を書換えに必要な電圧レベル以上に保つことができるため、確実に表示部を書き換えることができる。
【００６３】
本発明の実施の形態におけるＩＣカード１０（１１０）は、前記構成において、表示部１５は、表示の書き換え時のみ電源を必要とする電子ペーパーであることを特徴とする。
【００６４】
この構成によれば、表示を書き換える場合のみ電源を必要とする電子ペーパーを表示部１５に用いることにより、通信時のみ受信信号から電源を抽出して表示を書き換え、通信時以外には書き換えられた表示を維持することができる。
【符号の説明】
【００６５】
１０、１１０  ＩＣカード
１１  カード基板
１２  アンテナ
１５  表示部
２０  通信ＩＣ
２２  通信制御回路
４０  表示書込みＩＣ４０
４１  表示コントローラ
４２  ドライバ回路
１２０  ＲＦＩＤチップ
１４０  表示用チップ
Ｄ１１〜Ｄ１３  ダイオード
Ｃ１１〜Ｃ１３  コンデンサ
【図１】
2011257798.tif 000003
【図２】
2011257798.tif 000004
【図３】
2011257798.tif 000005
【図４】
2011257798.tif 000006